(57)【要約】【課題】  別棟の2世帯住宅であっても、互いの交流がはかりやすく、充分な外部空間や採光が確保でき、親子2世帯が快適に住まうことができる住宅を提供すること。【解決手段】  隣接した2棟の住宅A,Bを凹状に組み合わせることで、一方に開放された中庭空間1を形成するとともに、中庭空間1の開放面側に設置される板状の垂直部材11と、一端が垂直部材11の上端に固定され他端が住宅の外壁面側に支持された板状の水平部材12とからなるパーゴラ用建材10を、中庭空間1に所定のピッチで一列に配置し、更にパーゴラ用建材10の設置ピッチL1、水平部材12の断面の高さH1の比(L1/H1)、および中庭空間1が介在する２棟の住宅A,B間の距離L2、住宅A,Bの1階階高H2の比(L2/H2)を調整して、中庭空間1を介した一方の住宅1階と他方の住宅2階と間の視界を略遮るようにパーゴラ用建材10を配置したことを特徴とする。【選択図】    図２
2005036584.tif 000002
【特許請求の範囲】
【請求項１】
隣接した２棟の住宅を凹状に組み合わせることで、一方に開放された中庭空間を形成するとともに、
前記中庭空間の開放面側に設置される板状の垂直部材と、一端が前記垂直部材の上端に連結され他端が住宅の外壁面に取り付けられた支持部材に支持される板状の水平部材とからなるパーゴラ用建材を、前記中庭空間に所定のピッチで一列に配置してパーゴラを形成し、
更に前記板状のパーゴラ用建材の設置ピッチをＬ1、前記水平部材の断面の高さをＨ1としたときの比（Ｌ1／Ｈ1）、および前記中庭空間が介在する２棟の住宅間の距離（中庭空間の長さ）をＬ2、前記住宅の１階階高をＨ2としたときの比（Ｌ2／Ｈ2）を調整して、前記中庭空間を介して一方の住宅の１階と他方の住宅の２階と間の視界を略遮るように前記パーゴラ用建材を配置したことを特徴とする２棟建て住宅。
【請求項２】
前記パーゴラ用建材は光の反射率の高い色で仕上げたことを特徴とする請求項１に記載の２棟建て住宅。
【請求項３】
前記中庭空間に該中庭空間に面した住宅の室内床の高さと略同一の高さの床を設けると共に、前記パーゴラをなす水平部材までの高さを住宅の１階の天井までの高さと略同一にしたことを特徴とする請求項１または２に記載の２棟建て住宅。
【請求項４】
脱着式あるいは可動式の仕切り材を、前記パーゴラをなす少なくとも１つのパーゴラ用建材に設けたことを特徴とする請求項１〜３のいずれか１項に記載の２棟建て住宅。
【請求項５】
隣接した２棟の住宅を凹状に組み合わせて形成した、一方に開放された中庭空間に設置するパーゴラ用建材であって、前記中庭空間の開放面側に設置される板状の垂直部材と、一端が前記垂直部材の上端に連結され他端が住宅の外壁面に取り付けられた支持部材に支持される板状の水平部材とからなり、複数を所定のピッチで配置することにより、前記中庭空間への採光を確保しつつ前記中庭空間を介して一方の住宅の１階と他方の住宅の２階と間の視界を略遮るパーゴラを形成することを特徴とするパーゴラ用建材。
【発明の詳細な説明】
【技術分野】
【０００１】
本発明は、２世帯住宅などの隣接した２棟の住宅とパーゴラとを組み合わせた２棟建て住宅に関するものである。
【背景技術】
【０００２】
従来から、親世帯と子世帯が別棟に住まうために、ひとつの敷地を分割して２棟の家を建築することがある。これは１棟の２世帯住宅に比べて、将来的に一方の住宅を売却する場合や他人に貸す場合などの問題を考慮した方法である。このような別棟の２世帯住宅の場合、ひとつの敷地を単純（東西あるいは南北など）に２分割し、それぞれ南側に庭を確保し、北寄りに住宅を配置するという方法が一般的である。
【０００３】
また、前述のような別棟の２世帯住宅において、庭などの外部空間を利用して、該外部空間の一部または全体に光を遮ることを目的としたパーゴラを設けることもある。
【０００４】
【特許文献１】特開平１１−１３１８２９号公報
【特許文献２】特開平１０−１８４０３９号公報
【発明の開示】
【発明が解決しようとする課題】
【０００５】
しかしながら、上述のような２世帯住宅の場合、ひとつの敷地内であっても、別棟となっており、夫々の住宅が南側の庭に向かって開放され、他の方向に対しては閉じられた計画となるため、世帯間の接点が確保しにくく、近くに住みながらお互いの交流がはかり難いという問題がある。また、ひとつの敷地に別棟の住宅を建築しているため、庭などのまとまった外部空間が確保し難いという問題もある。更に、ひとつの敷地を南北に分割して別棟の家を建てた場合、南側の住宅が北側の住宅の庭に迫ってしまうため、該北側の住宅および庭の採光が確保し難いという問題がある。
【０００６】
また、従来、前述のような住宅の外部空間に利用されるパーゴラは、光を遮ることを目的として利用されてはいたが、お互いの視線あるいは外部からの視線を遮ることを目的として利用されてはいなかった。
【０００７】
そこで、本発明の目的は、将来的に一方の住宅を売却する場合や他人に貸す場合に問題が少ないというメリットを確保しつつ、上記問題点の解消をはかり、親子２世帯が快適に住まうことができる住宅を提供することである。
【課題を解決するための手段】
【０００８】
上記目的を達成するための本発明の代表的な２棟建て住宅の第一の構成は、隣接した２棟の住宅を凹状に組み合わせることで、一方に開放された中庭空間を形成するとともに、前記中庭空間の開放面側に設置される板状の垂直部材と、一端が前記垂直部材の上端に連結され他端が住宅の外壁面に取り付けられた支持部材に支持される板状の水平部材とからなるパーゴラ用建材を、前記中庭空間に所定のピッチで一列に配置してパーゴラを形成し、更に前記板状のパーゴラ用建材の設置ピッチをＬ1、前記水平部材の断面の高さをＨ1としたときの比（Ｌ1／Ｈ1）、および前記中庭空間が介在する２棟の住宅間の距離（中庭空間の長さ）をＬ2、前記住宅の１階階高をＨ2としたときの比（Ｌ2／Ｈ2）を調整して、前記中庭空間を介して一方の住宅の１階と他方の住宅の２階と間の視界を略遮るように前記パーゴラ用建材を配置したことを特徴とする。
【０００９】
また本発明の第二の構成は、上記第一の構成において、前記パーゴラ用建材は光の反射率の高い色で仕上げたことを特徴とする。
【００１０】
また本発明の第三の構成は、上記第一または第二の構成において、前記中庭空間に該中庭空間に面した住宅の室内床の高さと略同一の高さの床を設けると共に、前記パーゴラをなす水平部材までの高さを住宅の１階の天井までの高さと略同一にしたことを特徴とする。
【００１１】
また本発明の第四の構成は、上記第一から第三のいずれかの構成において、脱着式あるいは可動式の仕切り材を、前記パーゴラをなす少なくとも１つのパーゴラ用建材に設けたことを特徴とする。
【００１２】
また、前述の隣接した２棟の住宅を凹状に組み合わせて形成した、一方に開放された中庭空間に設置するパーゴラ用建材は、前記中庭空間の開放面側に設置される板状の垂直部材と、一端が前記垂直部材の上端に連結され他端が住宅の外壁面に取り付けられた支持部材に支持される板状の水平部材とからなり、複数を所定のピッチで配置することにより、前記中庭空間への採光を確保しつつ前記中庭空間を介して一方の住宅の１階と他方の住宅の２階と間の視界を略遮るパーゴラを形成することを特徴とする。
【発明の効果】
【００１３】
上記第一の構成によれば、隣接した２棟の住宅を凹状に組み合わせることで、一方に開放された中庭空間を形成しているため、２棟の住宅（世帯）間の接点を確保しつつ、且つ庭などのまとまった外部空間も確保できる。また、前記凹状の中庭空間が介在した住宅間の距離や該住宅の１階階高の高さに応じて前記パーゴラの高さやピッチを好適な値にすることによって、前記中庭空間への採光を確保しつつ、前記中庭空間を介した一方の住宅の１階と他方の住宅の２階と間の視界を略遮ることが可能であり、一方から見下ろされる（或いは見上げられる）という不快感を解消することができる。また、一方の住宅の２階のベランダに洗濯物や布団を干した場合に、他方の住宅の１階から前記洗濯物や布団を見え難くできるため、視覚的な不快感を緩和することができる。
【００１４】
更に、採光を充分確保しつつ、中庭空間に面した隣地や道路などの外部とは隔離された（あるいは隔離されているように感じる）空間を形成することができ、２世帯間の交流がはかり易く、該２世帯が快適に住まうことが可能な住宅を提供することができる。
【００１５】
また、前述の如き構成の垂直部材と水平部材とからなるパーゴラ用建材を所定のピッチで一列に配置することにより、住宅側の外壁面に沿って前記水平部材を支持する垂直部材（柱）を設置する必要がなく、中庭空間に面する全ての外壁面を開口部として開放することができる。
【００１６】
また、上記第二の構成のように、パーゴラをなすパーゴラ用建材を反射率の高い仕上げにすることによって、パーゴラをなす各パーゴラ用建材間から射し込む光を採り入れるだけでなく、該パーゴラに対して斜め上方から射し込む光を反射によって効率良く内部空間に採り入れることができる。特に２棟を南北に配置した際の南棟に反射光による採光が確保される。
【００１７】
また、上記第三の構成のように、前記採光を充分確保しつつ、外部とは隔離された空間を、段差が少ない床構造にして２世帯間を繋ぐことで、互いの行き来がしやすい空間を提供することができる。更に住宅１階の天井までの高さとパーゴラをなす水平部材までの高さを略同一とすることで、前記空間を前述の行き来のしやすい機能だけでなく視覚的にも一体感を持たせることができ、あたかも世帯間を繋ぐ内部空間であるように感じられる視覚的効果が得られ、２世帯間の交流が更に促進される。また、前記中庭空間に設ける床は、ウッドデッキ等の木製の材料が好ましい。この構成によれば、素足での歩行の際に、夏場の熱さや冬場の冷たさによる不快感を緩和することができ、両世帯の交流を促進することができる。
【００１８】
また、上記第四の構成のように、パーゴラをなす少なくとも１つのパーゴラ用建材に、壁、フェンス等の仕切り部材を設けることで、それぞれの知人を招いて前記空間を利用して楽しむ場合や、一方の住宅を売却した場合や貸した場合に、前記空間を容易に遮断することができ、パーゴラによる斜め方向の視線の遮断効果に加えて、水平方向の視線も遮断することができ、２棟間の独立性を容易に作り出すことができる。
【００１９】
更に、前記パーゴラをなす各パーゴラ用建材（の垂直部材）間に、上げ下げ式のロールスクリーンなどの仕切り部材を組み込む構成としても良い。このように構成することで、必要に応じて道路や隣地からの視線を遮ることも可能である。
【００２０】
また、上記中庭空間にパーゴラを形成するためのパーゴラ用建材は、隣接した２棟の住宅を凹状に組み合わせて形成した、一方に開放された中庭空間に設置するパーゴラ用建材であって、前記中庭空間の開放面側に設置される板状の垂直部材と、一端が前記垂直部材の上端に連結され他端が住宅の外壁面に取り付けられた支持部材に支持される板状の水平部材とからなり、複数を所定のピッチで配置することにより、前記中庭空間への採光を確保しつつ前記中庭空間を介して一方の住宅の１階と他方の住宅の２階と間の視界を略遮るパーゴラを形成しているので、上述したような効果が得られるだけでなく、更に外観上の見た目も美しく、従来のパーゴラよりも意匠的に優れている。
【発明を実施するための最良の形態】
【００２１】
以下、図面を参照して、本発明の好適な実施の形態を例示的に詳しく説明する。ただし、以下の実施形態に例示されている構成要素の寸法、材質、形状、それらの相対配置などは、本発明が適用される住宅の構造や各種条件により適宜変更されるものであり、本発明の範囲をそれらのみに限定する趣旨のものではない。
【００２２】
図１及び図２に示すように、南北に長いひとつの敷地において、親世帯と子世帯が別棟に住まうために、敷地を南北に分割し、２棟の住宅Ａ，Ｂを建築している。そして住宅Ａについては南西の角を、住宅Ｂについては北西の角をそれぞれ欠き込み、２棟の住宅を凹状に組み合わせて、西向きに中庭空間１を形成している。そして夫々の１階部には、前記中庭空間１に面して、掃出し窓や折り畳み式のフルオープンサッシ等の大開口部が設置された、リビング、ダイニングキッチン、和室（茶の間）等のパブリック空間が配置されている。また、南側に立つ住宅Ｂの２階部においては、前記中庭空間１の南側にあたる部分を南寄りに後退させて、前記中庭空間１への採光に配慮している。
【００２３】
なお、ひとつの敷地において、親世帯と子世帯が別棟に住まうために、隣接して建てた２棟の住宅Ａ，Ｂを凹状に組み合わせて中庭空間１を形成する構成は、図１に示す構成に限定されるものではない。例えば、図３（ａ）に示すように、東西に長いひとつの敷地において、東西に隣接して建てた２棟の住宅Ａ，Ｂを凹状に組み合わせて南向きの中庭空間１を形成する構成、あるいは、図３（ｂ）に示すように、南北に長いひとつの敷地において、南北に隣接して建てた２棟の住宅Ａ，Ｂを凹状に組み合わせて、東向きに中庭空間１を形成する構成であっても良い。図３（ｃ）、図３（ｄ）は、本発明を適用しなかった場合の２棟建て住宅を示すものであって、図３（ｃ）は東西に長いひとつの敷地において、東西に分割して建てた２棟の住宅Ａ，Ｂを示し、図３（ｄ）は南北に長いひとつの敷地において、南北に分割して建てた２棟の住宅Ａ，Ｂを示すものである。なお、図３において、（ａ），（ｂ）に示す本発明の実施形態と、（ｃ），（ｄ）に示す従来例とは、敷地面積と建築面積が同じ条件の２棟の住宅を示している。
【００２４】
また、図４〜図９に示すように、前記中庭空間１には、複数のパーゴラ用建材１０によってパーゴラが形成されている。このパーゴラを形成するパーゴラ用建材は、図５に示すように、中庭空間１の開放面側に設置される板状の垂直部材１１と、一端が前記垂直部材１１の上端に連結され他端が住宅の外壁面に取り付けられた支持部材１３に支持される板状の水平部材１２と、からなる。本実施形態では、図５に示すように、垂直部材１１は、その下端部が中庭空間１の開放面側に設けられたブロック塀１５と、該ブロック塀１５に取り付けられた支持部材１３とによって支持され、スチールアングル１４を介してボルトやビスで固定されている。また水平部材１２の垂直部材１１との連結部は、スチールアングル１４を介したビス止めによって、一端が前記垂直部材１１の上端に連結されている。水平部材１２の他端は、住宅の外壁面１６に取り付けられた支持部材１３によって支持され、スチールアングル１４を介してボルトやビスで固定されている。このパーゴラ用建材１０を所定のピッチで一列に配置することで、図に示すようなパーゴラを形成している。この構成により、住宅側の外壁面に沿って前記水平部材１２を支持する垂直部材（柱）を設置する必要がなく、中庭空間１に面する全ての外壁面を開口部として開放することができる。
【００２５】
パーゴラを形成する各パーゴラ用建材１０は、図５に示すように前記部材１１，１２が板状の部材であって、幅が小さく背の高い断面を有しており、更に詳しくは断面の高さｈ11が厚みｈ12の３倍以上となる板状部材となっている。例えば、垂直部材１１，水平部材１２として、高さｈ11が185mm、厚みｈ12が38mmの板状部材を用いてパーゴラ用建材１０を構成しても良い。この構成により垂直方向からの採光が遮られ難く、また降雨時に水平部材１２上面に雨水がたまり難く、降雨後も雨垂れを気にせず中庭空間１を利用できる。
【００２６】
前記単体のパーゴラ用建材１０の材質は木材や、スチール，アルミ等の金属などが考えられるが、強度があり、加工がし易く、安価な木材が好ましく、枠組壁（ツーバイフォー）工法で用いられる２×８（ツーバイエイト）材などが更に好ましい。
【００２７】
更に前記パーゴラを形成する複数のパーゴラ用建材１０は、前記中庭空間１を介して一方の住宅Ａ（またはＢ）の１階と他方の住宅Ｂ（またはＡ）の２階と間の視界を略遮るように配置されている。この配置は、図４に示すように、前記垂直部材１１と前記水平部材１２とからなるパーゴラ用建材１０の設置ピッチをＬ1、前記水平部材１２の断面の高さをＨ1としたときの比（Ｌ1／Ｈ1）、および前記中庭空間が介在する２棟の住宅間の距離（中庭空間の長さ）をＬ2、前記住宅の１階階高をＨ2としたときの比（Ｌ2／Ｈ2）を調整することによってなされる。
【００２８】
具体的には、例えば、前記中庭空間１が介在する２棟の住宅Ａ，Ｂ間の距離（中庭空間の長さ）Ｌ2を６４５５ｍｍ、前記住宅Ａ，Ｂの１階階高Ｈ2を２８７０ｍｍとしたときに、これに応じて、前記垂直部材１１と前記水平部材１２とからなるパーゴラ１０の設置ピッチＬ1を６１０ｍｍ、前記水平部材１２の断面の高さＨ1を９０ｍｍとすることによって、前記中庭空間１への採光を確保しつつ、前記パーゴラ１０群によって前記中庭空間１を介した一方の住宅Ａ（またはＢ）の１階と他方の住宅Ｂ（またはＡ）の２階と間の視界を略遮ることができる。
【００２９】
なお、図４には、視点までの高さＭ1が１３００ｍｍの人が、一方の住宅Ｂの１階から他方の住宅Ａの２階を見上げた際の視線の遮り具合と、視点までの高さＭ2が１５００ｍｍの人が、一方の住宅Ｂの２階から他方の住宅Ａの１階を見下ろした際の視線の遮り具合とを例示している。また、図６は、一方の住宅Ｂの１階から他方の住宅Ａの２階を見上げた際のパーゴラによる視線の遮り具合を表している。また前述の各構成要素の寸法や相対配置などは例示であって、前述したように本発明はこれらに限定されるものではない。本発明に係る構造は、前記中庭空間１への採光を確保しつつ、前記中庭空間１を介して一方の住宅Ａ（またはＢ）の１階と他方の住宅Ｂ（またはＡ）の２階と間の視界を略遮る配置構成であれば、他の寸法や相対配置であっても良い。
【００３０】
このように、本発明に係る構成によれば、隣接した２棟の住宅Ａ，Ｂを凹状に組み合わせることで、一方に開放された中庭空間１を形成しているため、２棟の住宅（世帯）間の接点を確保しつつ、且つ庭などのまとまった外部空間（中庭空間１）も確保できる。また、前記凹状の中庭空間１が介在した住宅Ａ，Ｂ間の距離や該住宅Ａ，Ｂの１階階高の高さに応じて前記パーゴラ用建材１０の高さやピッチを好適な値に調整することによって、前記中庭空間１への採光を確保しつつ、前記中庭空間１を介した一方の住宅の１階と他方の住宅の２階と間の視界を略遮ることができる。これにより、例えば一方から見下ろされる（或いは見上げられる）という不快感を解消することができる。また、一方の住宅の２階のベランダに洗濯物や布団を干した場合に、他方の住宅の１階から前記洗濯物や布団を見え難くできるため、視覚的な不快感を緩和することができる。
【００３１】
更に、採光を充分確保しつつ、中庭空間１に面した隣地や道路などの外部とは隔離された（あるいは隔離されているように感じる）空間を形成することができ、２世帯間の交流がはかり易く、該２世帯が快適に住まうことが可能な住宅を提供することができる。
【００３２】
また、前記パーゴラを形成する板状のパーゴラ用建材１０は、光の反射率の高い色で仕上げてあることが好ましい。なお、ここで言う板状のパーゴラ用建材１０とは、前述したように、断面の高さｈ11が厚みｈ12の３倍以上となる板状部材（図５参照）のことである。従って、このような板状のパーゴラ用建材１０は、側面に光（上方から入射する光や下方へ反射する光）を遮る突起（Ｈ型鋼のフランジ部など）がなく、該側面を反射率の高い仕上げにすることによって、図７に示すようにパーゴラを形成する各パーゴラ用建材１０間から射し込む光を採り入れるだけでなく、該パーゴラに対して斜め上方から射し込む光をも反射によって効率良く内部空間に採り入れることができる。これにより、パーゴラが設けられていない中庭空間と比べてもより多くの採光が確保でき、該中庭空間１に面した各住宅Ａ，Ｂ内の部屋にも多くの光を採り入れることができる。特に２棟を南北に配置した際の南棟に反射光による採光が確保される。
【００３３】
また、図８に示すように、前記中庭空間１に、該中庭空間１に面した住宅Ａ，Ｂの室内床の高さと略同一の高さの床２を設けると共に、前記パーゴラをなす水平部材１２下端までの高さを住宅Ａ，Ｂの１階の天井までの高さと略同一にすることが好ましい。
【００３４】
このように、前記中庭空間１は、採光を充分確保しつつ、外部とは隔離された空間を形成するだけでなく、段差が少ない床構造にして２世帯間を繋ぐことで、互いの行き来がしやすい空間を形成することができる。更に住宅Ａ，Ｂの１階天井までの高さとパーゴラをなす水平部材１２下端までの高さを略同一とすることで、前述の如くして形成された空間を行き来がしやすい機能だけでなく視覚的にも一体感を持たせることができ、あたかも世帯間を繋ぐ内部空間であるように感じられる視覚的効果が得られ、２世帯間の交流が更に促進される。
【００３５】
また、前記床２は、ウッドデッキ等の木製の材料が好ましい。この構成によれば、素足での歩行の際に、夏場の熱さや冬場の冷たさによる不快感を緩和することができ、両世帯の交流を促進することができる。
【００３６】
また、脱着式あるいは可動式の壁、フェンス等の仕切り材を、前記パーゴラを形成する少なくとも１つのパーゴラ用建材に設けることが好ましい。図９（ａ）では、前記中庭空間１の中央に位置する１つのパーゴラ用建材１０に、可動式の仕切り部材３を設けた構成を例示している。また図９（ｂ）に示すように、中庭空間１の中央に位置する１つのパーゴラ用建材１０に、脱着式の仕切り部材４を設けた構成としても良い。
【００３７】
このように、パーゴラを形成する少なくとも１つのパーゴラ用建材に、脱着式あるいは可動式の仕切り部材３，４を設けた構造とすることで、それぞれの知人を招いて前記空間１を利用して楽しむ場合や、一方の住宅を売却した場合や貸した場合に、前記空間１を容易に遮断することができ、パーゴラによる斜め方向の視線の遮断効果に加えて、水平方向の視線も遮断することができ、２棟の住宅Ａ，Ｂ間の独立性を容易に作ることができる。
【００３８】
更に、前記パーゴラを形成する各パーゴラ用建材の垂直部材１１間に、上げ下げ式のロールスクリーンなどの仕切り部材を組み込むことで、必要に応じて道路や隣地からの視線を遮ることも可能である。
【００３９】
また、上記中庭空間１にパーゴラを形成するためのパーゴラ用建材１０は、隣接した２棟の住宅Ａ，Ｂを凹状に組み合わせて形成した、一方に開放された中庭空間１に設置するパーゴラ用建材１０であって、前記中庭空間１の開放面側に設置される板状の垂直部材１１と、一端が前記垂直部材１１の上端に連結され他端が住宅の外壁面に取り付けられた支持部材１３に支持される板状の水平部材とからなり、複数を所定のピッチで配置することにより、前記中庭空間１への採光を確保しつつ前記中庭空間１を介して一方の住宅Ａ（またはＢ）の１階と他方の住宅Ｂ（またはＡ）の２階と間の視界を略遮るパーゴラを形成しているので、上述したような効果が得られるだけでなく、更に外観上の見た目も美しく、従来のパーゴラよりも意匠的に優れている。
【図面の簡単な説明】
【００４０】
【図１】組み合わせによる凹状の中庭空間を有する隣接した２棟建て住宅を示す平面説明図である。
【図２】組み合わせによる凹状の中庭空間を有する隣接した２棟建て住宅を示す外観斜視図である。
【図３】住宅の形状及び配置について本発明と従来例とを比較した説明図である。
【図４】中庭空間を介して一方の住宅の１階と他方の住宅の２階と間の視界を略遮る配置構成を示す説明図である。
【図５】本発明に係るパーゴラの詳細説明図である。
【図６】中庭空間を介して一方の住宅の１階と他方の住宅の２階と間の視界を略遮る様子を示す説明図である。
【図７】２棟建て住宅間の中庭空間に設置されたパーゴラによる光の反射を示す説明図である。
【図８】２棟建て住宅間の中庭空間に形成された内部空間を示す説明図である。
【図９】２棟建て住宅間の中庭空間に配置された仕切り部材を示す説明図である。
【符号の説明】
【００４１】
Ａ，Ｂ …住宅
Ｈ1   …水平部材の断面の高さ
Ｈ2   …住宅の１階階高
Ｌ1   …パーゴラの設置ピッチ
Ｌ2   …中庭空間の長さ
Ｍ1，Ｍ2 …視点までの高さ
１    …中庭空間
２    …床
１０  …パーゴラ用建材
１１  …垂直部材
１２  …水平部材
１３  …支持部材
１４  …スチールアングル
１５  …ブロック塀
１６  …外壁面
【図３】
2005036584.tif 000003
【図５】
2005036584.tif 000004
【図１】
2005036584.tif 000005
【図２】
2005036584.tif 000006
【図４】
2005036584.tif 000007
【図６】
2005036584.tif 000008
【図７】
2005036584.tif 000009
【図８】
2005036584.tif 000010
【図９】
2005036584.tif 000011